(57)【要約】      （修正有）【課題】正確で安定した撮影角度を得るとともに、下向き撮影を安定かつ最適な状態で撮影できる三脚を提供する。【解決手段】一つの第一脚部３５と、この第一脚部３５の外周面に軸方向Ｋａへスライド自在に装填し、かつ任意の位置に固定可能な一つ又は二つのスライド部材３６と、このスライド部材３６に、上端が少なくとも角度変更可能に支持される第二脚部３７及び第三脚部と、第一脚部３５の上端に設けてモバイル装置１を支持可能な支持機構部３１を具備する。また、第一脚部３５、第二脚部３７及び第三脚部は、下方に伸縮可能な伸縮ロッド３５ｒ、３７ｒを備えとともに、支持機構部３１は、モバイル装置１に備える突起体５を保持する突起保持部３２を備える。【選択図】図１
0003155283.tif 000002
【実用新案登録請求の範囲】
【請求項１】
モバイル装置を支持するモバイル装置用三脚において、一つの第一脚部と、この第一脚部の外周面に軸方向へスライド自在に装填し、かつ任意の位置に固定可能な一つ又は二つのスライド部材と、このスライド部材に、上端が少なくとも角度変更可能に支持される第二脚部及び第三脚部と、前記第一脚部の上端に設けて前記モバイル装置を支持可能な支持機構部を備えることを特徴とするモバイル装置用三脚。
【請求項２】
前記第一脚部．前記第二脚部及び前記第三脚部は、下方に伸縮可能な伸縮ロッドを備えることを特徴とする請求項１記載のモバイル装置用三脚。
【請求項３】
前記支持機構部は、前記モバイル装置に備える突起体を保持する突起保持部を備えることを特徴とする請求項１記載のモバイル装置用三脚。
【考案の詳細な説明】
【技術分野】
【０００１】
本考案は、携帯電話等のモバイル装置を支持するモバイル装置用三脚に関する。
【背景技術】
【０００２】
一般に、代表的なモバイル装置として携帯電話が広く普及している。携帯電話は、小型故に、基本的に片手に持ってほとんどの操作を行うことができる。一方、携帯電話は、通話機能やメール機能等の基本機能に加え、現在、ほとんどの機種にカメラ部を内蔵している。したがって、携帯電話に内蔵するカメラ部を用いることにより、必要なとき必要な場所において手軽に被写体を撮影することができ、一般的なデジタルカメラの代わりに用いられることも少なくないなど、携帯電話における重要な機能の一つになっている。
【０００３】
このため、携帯電話をカメラとして用いる場合の付属品も提案されるに至っており、例えば、特開２００４−１０１７４９号公報には、携帯電話内蔵カメラ用三脚が開示されている。同公報に開示される三脚は、携帯電話を載せる置き台と、携帯電話を安定的に支持する支持手段と、置き台の下面から伸びる少なくとも３本の伸縮式脚部を備えるものである。
【先行技術文献】
【特許文献】
【０００４】
【特許文献１】特開２００４−１０１７４９号
【考案の概要】
【考案が解決しようとする課題】
【０００５】
しかし、上述した従来の携帯電話用三脚は、次のような問題点があった。
【０００６】
第一に、携帯電話用三脚は、置き台の上面に携帯電話をそのまま載せた状態で保持するとともに、三本の脚部は置き台の下面から単に突出する構成のため、正確で安定した撮影角度を得にくい。
【０００７】
第二に、携帯電話により比較的近い距離から文字等を撮影する場合も少なくないが、従来の三脚では、携帯電話を載せる置き台の下面から三本の脚部が下方に突出する構成のため、前側の脚部が撮影する画面内に入りやすいなど、特に、下向き撮影を安定かつ最適な状態で行うことができない。
【０００８】
本考案は、このような背景技術に存在する課題を解決したモバイル装置用三脚の提供を目的とするものである。
【課題を解決するための手段】
【０００９】
本考案に係るモバイル装置用三脚３０は、上述した課題を解決するため、モバイル装置１を支持するモバイル装置用三脚において、一つの第一脚部３５と、この第一脚部３５の外周面に軸方向Ｋａへスライド自在に装填し、かつ任意の位置に固定可能な一つ又は二つのスライド部材３６と、このスライド部材３６に、上端が少なくとも角度変更可能に支持される第二脚部３７及び第三脚部３８と、第一脚部３５の上端に設けてモバイル装置１を支持可能な支持機構部３１を具備してなることを特徴とする。この場合、考案の好適な態様により、第一脚部３５．第二脚部３７及び第三脚部３８は、下方に伸縮可能な伸縮ロッド３５ｒ，３７ｒ，３８ｒを備えることができる。また、支持機構部３１は、モバイル装置１に備える突起体５を保持する突起保持部３２を備えることができる。
【考案の効果】
【００１０】
このような構成を有する本考案に係るモバイル装置用三脚３０によれば、次のような顕著な効果を奏する。
【００１１】
（１）  モバイル装置用三脚３０は、モバイル装置１のケーシング３の裏外面３ｒの所定位置から突出する突起体５を、支持機構部３１により支持（保持）するため、正確で安定した撮影角度を得ることができる。
【００１２】
（２）  第一脚部３５の外周面に軸方向Ｋａへスライド自在に装填し、かつ任意の位置に固定可能なスライド部材３６に、上端が角度変更可能に支持される第二脚部３７及び第三脚部３８を備えるため、特に、下向き撮影を行う場合であっても、前側に位置する第二脚部３７及び第三脚部３８は、撮影する画面内に入りくくなるなど、下向き撮影を安定かつ最適な状態で行うことができるとともに、本等の小さな文字であっても手振れを抑えて鮮明に撮影することができる。
【図面の簡単な説明】
【００１３】
【図１】本考案の最良の実施形態に係る三脚の使用状態を示す側面図、
【図２】同三脚における支持機構部を抽出して示す平面構成図、
【図３】同三脚におけるスライド部材の前方から見た斜視図、
【図４】同三脚を折畳んだ状態を示す側面図、
【図５】同三脚に利用できる携帯電話の使用状態を示す側面図、
【図６】同携帯電話に付設した被支持機構を抽出して示す側面断面図、
【図７】同携帯電話を二折りに折畳んだ状態を示す側面図、
【図８】同携帯電話を二折りに折畳んだ状態を示す底面図、
【考案を実施するための形態】
【００１４】
次に、本考案に係る最良の実施形態を挙げ、図面に基づき詳細に説明する。
【００１５】
まず、本実施形態に係る三脚３０の構成について、図１〜図４を参照して説明する。三脚３０は、一つの第一脚部３５と、この第一脚部３５の外周面に軸方向Ｋａへスライド自在に装填し、かつ任意の位置に固定可能な一つのスライド部材３６と、このスライド部材３６に、上端が少なくとも角度変更可能に支持される第二脚部３７及び第三脚部３８と、第一脚部３５の上端に設けて携帯電話１を支持可能な支持機構部３１を備える。
【００１６】
第一脚部３５は、単ロッド３５ａと伸縮ロッド３５ｒを備え、単ロッド３５ａの下端と伸縮ロッド３５ｒの上端は、手で回すことができる固定ネジ４１を介して回動可能に結合する。これにより、固定ネジ４１を緩めれば、固定ネジ４１を支点に単ロッド３５ａ及び伸縮ロッド３５ｒを相対的に回動させることができるとともに、固定ネジ４１を締めれば、単ロッド３５ａと伸縮ロッド３５ｒを所定の角度で固定できる。伸縮ロッド３５ｒは、複数のロッド部材の組合わせにより下方へ伸縮可能である。
【００１７】
また、単ロッド３５ａの外周面には、スライド部材３６を軸方向Ｋａへスライド自在に装填する。スライド部材３６は、図３に示すように、単ロッド３５ａに装填する筒状のスライダ部４２と、このスライダ部４２の径方向に螺着した固定ネジ４３と、スライダ部４２の左右両側に突出した球継手を用いた一対の脚取付部４４ｐ，４４ｑを備える。この場合、固定ネジ４３は、手で回すことができ、固定ネジ４３を緩めれば、スライダ部４２を単ロッド３５ａの軸方向Ｋａへスライドさせることができるとともに、固定ネジ４３を締めれば、単ロッド３５ａ上における任意の位置にスライダ部４２を固定できる。さらに、一方の脚取付部４４ｐには、第二脚部３７の上端を取付けるとともに、他方の脚取付部４４ｑには、第三脚部３８の上端を取付ける。これにより、第二脚部３７及び第三脚部３８の角度を任意に設定できる。また、第二脚部３７及び第三脚部３８は、それぞれ伸縮ロッド３７ｒ及び３８ｒを使用する。各伸縮ロッド３７ｒ，３８ｒは、複数のロッド部材の組合わせにより下方へ伸縮可能である。
【００１８】
一方、単ロッド３５ａの上端には支持機構部３１を設ける。支持機構部３１は、手で回すことができる固定ネジ４６を介して上下方向に回動可能となるように後端側が支持されたベース部４７を備える。これにより、固定ネジ４６を緩めれば、ベース部４７の前側を固定ネジ４６を支点に上下方向に回動させることができるとともに、固定ネジ４６を締めれば、ベース部４７を任意の角度で固定できる。
【００１９】
また、ベース部４７の前端側における上面には、手で回すことができる固定ネジ４８を介して左右方向に回動自在に支持された突起保持部３２を備える。突起保持部３２はクリップ状に構成し、図６に示すように、中間部が交差するように軸部５１を介して回動自在に結合した一対の挟持部材５２ｆ，５２ｒを備える。各挟持部材５２ｆ，５２ｒは、一方側が携帯電話１における突起体５を挟持（保持）する挟持部５３ｆ，５３ｒとなり、他方側が挟持部５３ｆ，５３ｒを開閉操作するレバー部５４ｆ，５４ｒとなる。レバー部５４ｆと５４ｒ間には、スプリング５５を介装する。そして、他方の挟持部材５３ｒの下端には、直角に突出する被支持部５３ｒｓを一体に形成し、この被支持部５３ｒｓをベース部４７の上面に載せることにより固定ネジ４８により支持する。これにより、固定ネジ４８を緩めれば、突起保持部３２を固定ネジ４８を支点に左右方向に回動させることができるとともに、固定ネジ４８を締めれば、突起保持部３２を任意の角度で固定できる。
【００２０】
一方、レバー部５４ｆと５４ｒ間を手Ｈで押操作すれば、挟持部５３ｆと５３ｒを仮想線で示す位置まで開くことができるため、挟持部５３ｆと５３ｒ間に突起体５を入れれば、スプリング５５の押圧力により突起体５を挟持（保持）できる。携帯電話は、比較的小型軽量のため、このような構成の突起保持部３２であっても十分に保持できる。また、各挟持部５３ｆ，５３ｒにおける突起体５に当接する面形状は、突起体５の面形状に一致するように形成する。これにより、より安定に保持できる。
【００２１】
次に、本実施形態に係る三脚に利用できる携帯電話（モバイル装置）１の構成について、図５〜図８を参照して具体的に説明する。
【００２２】
２は、携帯電話本体（モバイル装置本体）であり、一般的な二折式の携帯電話である。携帯電話本体２は、本体部２ａとディスプレイ部２ｂを備え、回動部（ヒンジ部）１１を回動支点として、図５に示す広げた状態の使用モードＭｕと、図７及び図８に示す折畳んだ状態の非使用モードＭｎにすることができる。
【００２３】
また、ディスプレイ部２ｂにおけるケーシング３の表内面３ｄｉには、ディスプレイ１２を備えるとともに、このディスプレイ１２の裏側に位置する裏外面３ｄｒには、ＣＣＤを用いたカメラ部１３を備える。一方、本体部２ａにおけるケーシング３の表内面３ｉには、テンキー，機能キー，電源キー等の各種キー４ｋ…を有するキーボード４を備えるとともに、この表内面３ｉの裏側に位置する裏外面３ｒの所定位置には、本考案に従って、被支持機構６を配設する。
【００２４】
次に、この被支持機構６の構成について、図６を参照して具体的に説明する。被支持機構６は、裏外面３ｒに内側へ窪ませた格納凹部１５を設けるとともに、この格納凹部１５の内部に、突起体５を配設する。突起体５は、図６及び図８に示すように、所定の厚みを有し、かつ全体を矩形に形成する。この場合、突起体５における指Ｈｂが当接する中間位置５ｍは、図６に示すように、側面から見て湾曲するように薄肉形成する。突起体５の一端辺側には、左右に突出した軸部１６ｐ，１６ｑを有し、この軸部１６ｐ，１６ｑは、格納凹部１５の一側に位置する左右の内壁部１５ｗ…を通してケーシング３の内側に突出させる。そして、図８に示すように、ケーシング３の内側に設けた軸受部１７ｐ，１７ｑにより回動自在に支持するとともに、軸部１６ｐ，１６ｑには、図６に示すような矩形状の係合部１８ｐ，１８ｑをそれぞれ固定し、この係合部１８ｐ，１８ｑに板バネ１９ｐ，１９ｑを圧接させることによりクリック機構を構成する。
【００２５】
これにより、突起体５は、図６に示す矢印Ｋｒ方向において、９０〔°〕の角度範囲で回動変位させることができる。即ち、突起体５を、格納凹部１５から外に引き起こす方向へ回動変位させれば、図６に実線で示すように、裏外面３ｒから直角に突出する突出位置Ｘｐに位置させることができるとともに、突起体５を、この使用位置Ｘｐから押し倒す方向へ回動変位させれば、図６に仮想線で示すように、格納凹部１５に内部に格納する格納位置Ｘｉに位置させることができる。この場合、格納位置Ｘｉにおける突起体５は、裏外面３ｒよりも内側に収容される。また、突起体５を、格納位置Ｘｉと突出位置Ｘｐに変位させる際には、係合部１８ｐ，１８ｑと板バネ１９ｐ，１９ｑの作用により、クリック的に変位するとともに、格納位置Ｘｉと突出位置Ｘｐでは、突起体５の位置が保持される。なお、２０は、突起体５を格納凹部１５から引き出し易くするための裏外面３ｒに設けた指を入れることができるガイド凹部である。
【００２６】
次に、本実施形態に係る三脚３０及び携帯電話１の使用方法及び機能について、各図を参照して説明する。
【００２７】
まず、携帯電話１を使用しないときは、図３及び図４に示すように、二折りに折畳んだ状態の非使用モードＭｎにする。したがって、この場合、突起体５は、格納凹部１５の内部に格納される格納位置Ｘｉに位置させる。これにより、突起体５は、裏外面３ｒに対して同一面上に位置するため、邪魔になったりデザインが損なわれることはない。
【００２８】
一方、携帯電話１を使用するときは、ディスプレイ部２ｂを、本体部２ａに対して回動変位させ、図１に示すように、広げた状態の使用モードＭｕにして使用する。この場合、非使用モードＭｎと同様、突起体５を格納位置Ｘｉにして使用すれば、邪魔になることはない。したがって、携帯電話１は、通常の使用方法に従って使用できる。
【００２９】
他方、携帯電話１は、突起体５を有する被支持機構６を備えているため、突起体５を次の二つの機能により利用できる。
【００３０】
まず、第一の機能は、補助グリップ５ｇとして用いる被支持機能であり、例えば、使用者が上を向いて寝た状態で使用する場合の補助グリップ５ｇとして利用できる。即ち、携帯電話１の場合、本体部２ａは全体がメイングリップとして用いられるが、使用者が上を向いて寝た状態で使用する場合、携帯電話１は手Ｈから落ちやすい。したがって、この場合、図１に示すように、本体部２ａの裏外面３ｒに設けた突起体５を二本の指ＦａとＦｂ間、具体的には、中指Ｆａと薬指Ｆｂにより突起体５を挟むことにより、携帯電話１が落ちるのを防止することができる。なお、格納位置Ｘｉにある突起体５は、ガイド凹部２０に指を入れ、突起体５を格納凹部１５から外に引き起こすことにより、図２に実線で示す突出位置Ｘｐに位置させることができる。これにより、突起体５は、裏外面３ｒから直角に突出する。
【００３１】
このように、突起体５を、補助グリップ５ｇとして利用すれば、使用者が上を向いて寝た状態で携帯電話１を使用する場合であっても、携帯電話１が手Ｈから落ちにくくなり、キー操作を安定かつ迅速に行うことができるなど、使い勝手及び利便性を飛躍的に高めることができる。また、携帯電話１を手に持った際に、携帯電話１のケーシング３の裏外面３ｒの所定位置から突出する突起体５が中指Ｆａと薬指Ｆｂ間に入ることにより、携帯電話１を手Ｈに対していつも一定位置に保持できる。したがって、キー操作をより容易かつ確実に行うことができる。
【００３２】
また、突起体５の有する第二の機能は、三脚３０に設けた支持機構部３１により支持される被支持機能であり、図１に示すように、突起体５は、支持機構部３１に備える突起保持部３２により支持（保持）される。
【００３３】
この場合、三脚３０は、前側に左右へ離間した第二脚部３７及び第三脚部３８が配されるとともに、後側に第一脚部３５が配されるため、三つの各脚部３５，３７及び３８により起立することができる。この際、各脚部３５，３７及び３８には、伸縮ロッド３５ｒ，３７ｒ及び３８ｒを備えるため、上下方向の高さを容易に変更できる。また、固定ネジ４６の緩締により上下方向の角度を容易に変更できるとともに、固定ネジ４８の緩締により左右方向の角度を容易に変更できる。
【００３４】
特に、本実施形態に係る三脚３０は、図１に示すように、机Ｄの上に広げた本Ｂ等の小さな文字であっても手振れを抑えて鮮明に撮影することができる。この際、前側二つの脚部３７及び３８の上端は、スライダ部４２を介して傾斜した単ロッド３５ａの軸方向Ｋａに沿って位置変更できるため、前側二つの脚部３７及び３８を撮影の邪魔にならない位置にセットできる。なお、三脚３０を利用し、携帯電話１の前方に位置する通常の被写体（景色や人物等）を撮影する際には、図１に示すように、固定ネジ４６の緩締により携帯電話１を仮想線で示す位置まで角度変更すればよい。一方、三脚３０を使用しないときは、図４に示すように、携帯電話１と同程度の大きさまで折畳むことができ、携帯性を高めることができる。
【００３５】
このように、携帯電話１に付設した突起体５は、三脚３０に対する支持機構部３１により支持される被支持機能として利用することができるとともに、このような突起体５を支持する三脚３０を用いることにより、正確で安定した撮影角度を得ることができる。また、第一脚部３５の外周面に軸方向Ｋａへスライド自在に装填し、かつ任意の位置に固定可能なスライド部材３６に、上端が角度変更可能に支持される第二脚部３７及び第三脚部３８を備えるため、下向き撮影を行う場合であっても、前側に位置する第二脚部３７及び第三脚部３８は、撮影する画面内に入りくくなるなど、下向き撮影を安定かつ最適な状態で撮影することができる。
【００３６】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３７】
例えば、モバイル装置として携帯電話１を例示したが、ＰＤＡ（携帯情報端末）やポケットコンピュータ等の各種モバイル装置にも同様に適用できる。また、スライド部材３６は、第二脚部３７及び第三脚部３８の双方に共用する一つのスライド部材３６とした場合を示したが、第二脚部３７と第三脚部３８のそれぞれに専用となる二つのスライド部材３６を用いてもよい。さらに、第一脚部３５は、単ロッド３５ａと伸縮ロッド３５ｒを回動可能に結合した場合を示したが、単ロッド３５ａと伸縮ロッド３５ｒは、一体形成又は着脱式に構成してもよいし、伸縮ロッド３５ｒのみであってもよい。伸縮ロッド３５ｒのみの場合には、スライド部材３６を伸縮ロッド３５ｒに装填するとともに、伸縮ロッド３５ｒの上端に支持機構部３１を設ければよい。
【産業上の利用可能性】
【００３８】
本考案に係るモバイル装置用三脚は、特に、携帯電話等のモバイル装置を支持する際に利用することができる。
【符号の説明】
【００３９】
１：モバイル装置，５：突起体，３０：モバイル装置用三脚，３１：支持機構部，３２：突起保持部，３５：第一脚部，３５ｒ：伸縮ロッド，３６：スライド部材，３７：第二脚部，３７ｒ：伸縮ロッド，３８：第三脚部，３８ｒ：伸縮ロッド，Ｋａ：軸方向
【図１】
0003155283.tif 000003
【図２】
0003155283.tif 000004
【図３】
0003155283.tif 000005
【図４】
0003155283.tif 000006
【図５】
0003155283.tif 000007
【図６】
0003155283.tif 000008
【図７】
0003155283.tif 000009
【図８】
0003155283.tif 000010